(57)【要約】【課題】現在、建築物の屋根には多種の雨樋が使用されている、形状は半円型、角型が主流である。軒樋はブラケットを用いて排水勾配をとり、縦樋に接続され排水溝へと流されている、豪雨時には排水の集中することにより，マンホールやU字溝がオーバーフローする原因の一つとなっている。又、地下水の水涸れの原因にもなっている。軒樋部分をジョウロ状に加工し雨水を散水して地面に還元できれば、少しは前述の環境が改善されるのではなかろうか。【解決手段】従来の軒樋にあたる部分を一枚板状に成形し、散水孔を設け雨水を小粒に散水させることにより、軒樋の雨水を溜めることなく地上に還元でき、上述の現状を改善できる。【選択図】図１
2019127688.tif 000002
【特許請求の範囲】
【請求項１】
取付け部と散水面、リブ溝を、一体成形できることを特徴とする、軒樋。
【請求項２】
散水面とリブ溝に散水孔を設け、散水孔の配列は千鳥列や並列に設けたことを特徴とする、請求項１記載の軒樋。
【請求項３】
散水孔の孔径を、上面は下面より大きくしたことを特徴とする請求項１記載の軒樋。
【請求項４】
散水孔形状を丸孔、楕円、長孔であることを特徴とする、請求項１記載の軒樋。
【請求項５】
散水面を、ゆるいカーブ状にしたことを特徴とする、請求項１記載の軒樋。
【請求項６】
軒樋を連続する、H型ジョイントを有することを特徴とする、軒樋。
【請求項７】
軒樋を保持する、ブラケットを有することを特徴とする、軒樋。
【請求項８】
軒樋端部に、エンドキャップを有することを特徴とする、軒樋。
【発明の詳細な説明】
【技術分野】
【０００１】
軒樋には半円型、角型があり樋上部に小葉除けネットを設けたものがあり、集水器を用い竪樋に接続し配水管に接続する。
本発明は軒樋部分を一枚板状の半円型の逆使いとし、雨水を散水する、竪樋不要の軒樋である。                
【背景技術】
【０００２】
従来の軒樋には箱型で上部に通水孔板やネットを設け塵除けとしたものがある、軒樋はブラケットにより排水勾配を取り竪樋に接続し、U字溝や下水道に接続される。豪雨時にそれらがオーバーフローする原因の一つに上げられる。              
【先行技術文献】
【特許文献】
【０００３】
【特許文献１】特開2012-067496号公報
【特許文献２】特開2000-310016号公報
【特許文献３】特開平06-180048号公報
【特許文献１】実開平07-019446号公報
【発明の概要】
【発明が解決しようとする課題】
【０００４】
集中豪雨による下水、排水溝のオーバーフローや、地下水、小河川の水涸れなどを防ぐことを目的に、従来の軒樋部分に貫通孔を設けジョウロのように散水し、雨水を処理する事ができる。縦樋を不要とし、雨水を地面に戻すことができる。地球にやさしい軒樋。
【課題を解決するための手段】
【０００５】
派風板に取付けるための取付け部分と、従来の軒樋にあたる部分を一枚板状に一体成形し、強度アップと雨や落ち葉などの溜まらない構造にするために、上板の散水面をむくリ状態にしたゆるいカーブをつける、先端部分にはリブ溝を設け、強度を上げる。散水面とリブ溝には貫通孔を設け、その孔を散水孔と称する。散水孔の形状は、上面孔径を下面孔径より大きくすることにより、効率のよい集雨ができる。このことにより屋根の雨水は散水面、リブ溝により小粒になり地表に散水処理することができる、このことにより竪樋と配水管への接続は不要になる。
【発明の効果】
【０００６】
前述のように、従来の軒樋部分を本発明の一枚板状にして雨水を小粒に散水することにより、雨水は地表に還元され排水溝のオーバーフローを防ぐことが可能になり、地下水不足にも貢献する。及び小粒になった雨水は外壁の洗浄にも役立つ。軒樋は積雪地位外にはブラケットは不要であり、水平に取付けすることが出来る。竪樋も不要であり省エネ、ロウコストになる。
【図面の簡単な説明】
【０００７】
【図１】軒樋  納まり断面図
【図２】軒樋平面図
【図３】軒樋正面図
【図４】軒樋右側面図
【図５】ジョイント平面図
【図６】ジョイント正面図
【図７】ジョイントA-A´断面図
【図８】ブラケット平面図
【図９】ブラケット正面図
【図１０】ブラケット右側面図
【図１１】エンドキャップ平面図
【図１２】エンドキャップ正面図
【図１３】散水孔拡大平面図
【図１４】散水孔拡大断面図
【発明を実施するための形態】
【０００８】
軒樋の形状を図１から図４に示し、取付け部分と散水部分を一体成形でおこない、材種は金属や塩ビで従来と同じである。連続使用においては、専用ジョイトを用い両端差込にて連結することができる。端部の処理は専用エンドキャップを差し込んで軒樋の使用形状となる。積雪地においては、専用ブラケットを用い軒樋を保持することができる。
【実施例】
【０００９】
図1は本発明の軒樋を、建物の軒先に取付けた状態の断面図である。
図２〜４は軒樋本体の形状図となっている。
図５〜７は軒樋本体を連結するジョイントの形状図。
図８〜10は軒樋本体を保持するブラケットの形状図。
図11〜12は軒樋端部に差し込むエンドキャップの形状図。
図1３〜1４は散水孔拡大図
【符号の説明】
【００１０】
１  屋根
２  派風板
３  取付け部分
４  散水面
５  リブ溝
６  散水孔
７  ブラケット本体
８  ビス穴
９  ジョイント本体
１０  差込部分
１１  リブ部分
１２  散水孔拡大部分
１３  散水孔上面  
１４  散水孔下面
１５  エンドキャップ本体
【図１】
2019127688.tif 000003
【図２】
2019127688.tif 000004
【図３】
2019127688.tif 000005
【図４】
2019127688.tif 000006
【図５】
2019127688.tif 000007
【図６】
2019127688.tif 000008
【図７】
2019127688.tif 000009
【図８】
2019127688.tif 000010
【図９】
2019127688.tif 000011
【図１０】
2019127688.tif 000012
【図１１】
2019127688.tif 000013
【図１２】
2019127688.tif 000014
【図１３】
2019127688.tif 000015
【図１４】
2019127688.tif 000016
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
従来の溝状の軒樋にあたる部分を一枚板状に一体形成した軒樋であって、取付け部と、軒から離れる方向に沿って伸びる散水面と、散水面の延長線上であり一枚板の先端部分に設けられたリブ溝を、一体成形したことを特徴とする、軒樋。
【請求項２】
散水面とリブ溝に散水孔を設け、散水孔の配列は並列に設けたことを特徴とする、請求項1記載の軒樋。
【請求項３】
散水面に散水孔を設け、散水孔の孔径を、上面は下面より大きくしたことを特徴とする、請求項1記載の軒樋。
【請求項４】
散水面に散水孔を設け、散水孔形状が丸孔であることを特徴とする、請求項1記載の軒樋。
【請求項５】
散水面を、ゆるいカーブ状にしたことを特徴とする、請求項1記載の軒樋。
【請求項６】
軒樋を連続する、H型ジョイントを有することを特徴とする、請求項1記載の軒樋。
【請求項７】
軒樋を保持する、ブラケットを有することを特徴とする、請求項1記載の軒樋。
【請求項８】
軒樋端部に、エンドキャップを有することを特徴とする、請求項1記載の  軒樋。